(57)【要約】      （修正有）【課題】ワイヤレス通信の方法が、より広いＬＴＥシステム帯域幅内での狭帯域幅動作を与える。【解決手段】広帯域情報がユーザ機器（ＵＥ）の第１のセットに送信される。また、狭帯域情報がＵＥの第２のセットに送信される。ＵＥの第２のセットは、ＵＥの第１のセットよりも狭い帯域幅において動作する。【選択図】図８Ａ
2018038042.tif 000002
【特許請求の範囲】
【請求項１】
ユーザ機器（ＵＥ）の第１のセットに広帯域情報を送信することと、
ＵＥの第２のセットに狭帯域情報を送信することであって、ＵＥの前記第２のセットが、ＵＥの前記第１のセットよりも狭い帯域幅において動作する、送信することと
を備える、ワイヤレス通信の方法。
【請求項２】
前記広帯域情報が、第１のシステム情報ブロック（ＳＩＢ）を示す制御情報を備え、前記狭帯域情報が、第２のＳＩＢを示す制御情報を備える、請求項１に記載の方法。
【請求項３】
前記第１のＳＩＢと前記第２のＳＩＢが同じである、請求項２に記載の方法。
【請求項４】
前記第２のＳＩＢが、ネイバーセル、周波数間ハンドオーバ、および／または無線間アクセス技術（ｉＲＡＴ）ハンドオーバに関して、前記第１のＳＩＢよりも少ない情報を備える、請求項２に記載の方法。
【請求項５】
前記第２のＳＩＢを畳み込み符号化することをさらに備える、請求項２に記載の方法。
【請求項６】
狭帯域幅においてリソースの固定セットをスケジュールすることをさらに備える、請求項１に記載の方法。
【請求項７】
狭帯域制御チャネルを用いて狭帯域情報をスケジュールすることをさらに備える、請求項１に記載の方法。
【請求項８】
固定の時間、周波数ならびに／または変調およびコーディング方式（ＭＣＳ）を有する固定構成を用いて、ＵＥの前記第２のセットをページングすることをさらに備える、請求項１に記載の方法。
【請求項９】
狭帯域制御チャネルを用いてページング機会を構成することをさらに備える、請求項１に記載の方法。
【請求項１０】
第１のページング構成に従ってＵＥの前記第１のセットをページングすることと、第２のページング構成に従ってＵＥの前記第２のセットをページングすることとをさらに備える、請求項１に記載の方法。
【請求項１１】
リソースの同じセットにおいてＵＥの前記第２のセットのすべてをページングすることをさらに備える、請求項１に記載の方法。
【請求項１２】
狭帯域幅内の領域中に配置されたリソースブロックの既知のセットにおいてＵＥの前記第２のセットをページングすることをさらに備える、請求項１に記載の方法。
【請求項１３】
リソースブロックの前記既知のセットが、前記狭帯域幅の中心領域に配置された６つのリソースブロックを備える、請求項１２に記載の方法。
【請求項１４】
ＵＥの前記第２のセットの第１のサブセットを第１のページング機会に割り当てることと、ＵＥの前記第２のセットの第２のサブセットを第２のページング機会に割り当てることとをさらに備える、請求項１に記載の方法。
【請求項１５】
前記狭帯域情報が、第１の狭帯域領域から第２の狭帯域領域に遷移するためのコマンドを含む、請求項１に記載の方法。
【請求項１６】
前記狭帯域情報が、固定ロケーション中に配置されたデータを備える、請求項１に記載の方法。
【請求項１７】
前記狭帯域情報が制御情報とデータとを備え、前記制御情報が固定の時間、周波数ならびに／または変調およびコーディング方式（ＭＣＳ）中に配置され、したがって前記狭帯域情報が、付随する制御信号なしに復号され得る、請求項１に記載の方法。
【請求項１８】
前記広帯域情報が制御情報を含み、前記狭帯域情報が制御情報を含む、請求項１に記載の方法。
【請求項１９】
前記狭帯域制御情報が、制限されたアグリゲーションレベル、制限されたＭＣＳシグナリング、制限されたブラインド復号、制限されたリソース割振りフィールドおよび／または制限された巡回冗長検査長を含む、前記広帯域制御情報よりも少ない情報を備える、請求項１８に記載の方法。
【請求項２０】
広帯域幅においてまたは動的に変動する狭帯域幅において情報を受信することをさらに備え、
広帯域情報を送信することが、固定狭帯域幅において広帯域制御情報を送信することを備える、請求項１に記載の方法。
【請求項２１】
前記広帯域情報が、リソースブロックの中央に位置するセット中に配置されたシステム情報と、動的に変動する狭帯域幅におけるデータとを備える、請求項１に記載の方法。
【請求項２２】
前記送信された広帯域情報および前記狭帯域情報がデータを備えるとき、前記広帯域情報のみに応答して肯定応答／否定応答（ＡＣＫ／ＮＡＣＫ）を受信することをさらに備える、請求項１に記載の方法。
【請求項２３】
符号分割多元接続（ＣＤＭＡ）処理または直交周波数分割多重接続（ＯＦＤＭＡ）処理に従ってアップリンク制御情報を送信することをさらに備える、請求項１に記載の方法。
【請求項２４】
より広い帯域幅を含むシステムにおいて動作する狭帯域デバイスによるワイヤレス通信の方法であって、
前記より広い帯域幅の一部分のみを監視することと、
帯域幅の前記監視された部分において狭帯域情報を受信することと
を備える、方法。
【請求項２５】
前記狭帯域情報が、狭帯域システム情報のロケーションを示す制御情報を含む、請求項２４に記載の方法。
【請求項２６】
前記制御情報が変調およびコーディング方式（ＭＣＳ）を示す、請求項２５に記載の方法。
【請求項２７】
前記制御情報を畳み込み符号化することをさらに備える、請求項２５に記載の方法。
【請求項２８】
前記受信することが、狭帯域システム情報の位置を特定するためにブラインド復号を実行することを備える、請求項２４に記載の方法。
【請求項２９】
前記受信することが、データ領域においてまたはページングチャネルにおいて狭帯域情報を受信することを備える、請求項２４に記載の方法。
【請求項３０】
前記狭帯域情報がデータおよび／またはページング情報を備える、請求項２４に記載の方法。
【請求項３１】
より広い帯域幅を含むシステムにおいて動作する狭帯域デバイスによるワイヤレス通信のための装置であって、
メモリと、
前記メモリに結合された少なくとも１つのプロセッサであって、
ユーザ機器（ＵＥ）の第１のセットに広帯域情報を送信することと、
ＵＥの第２のセットに狭帯域情報を送信することであって、ＵＥの前記第２のセットが、ＵＥの前記第１のセットよりも狭い帯域幅において動作する、送信することと
を行うように構成された少なくとも１つのプロセッサと
を備える、装置。
【請求項３２】
前記広帯域情報が、第１のシステム情報ブロック（ＳＩＢ）を示す制御情報を備え、前記狭帯域情報が、第２のＳＩＢを示す制御情報を備える、請求項３１に記載の装置。
【請求項３３】
前記第１のＳＩＢと前記第２のＳＩＢが同じである、請求項３２に記載の装置。
【請求項３４】
前記第２のＳＩＢが、ネイバーセル、周波数間ハンドオーバ、および／または無線間アクセス技術（ｉＲＡＴ）ハンドオーバに関して、前記第１のＳＩＢよりも少ない情報を備える、請求項３２に記載の装置。
【請求項３５】
前記少なくとも１つのプロセッサが、前記第２のＳＩＢを畳み込み符号化するようにさらに構成された、請求項３２に記載の装置。
【請求項３６】
前記少なくとも１つのプロセッサが、狭帯域幅においてリソースの固定セットをスケジュールするようにさらに構成された、請求項３１に記載の装置。
【請求項３７】
前記少なくとも１つのプロセッサが、狭帯域制御チャネルを用いて狭帯域情報をスケジュールするようにさらに構成された、請求項３１に記載の装置。
【請求項３８】
前記少なくとも１つのプロセッサが、固定の時間、周波数ならびに／または変調およびコーディング方式（ＭＣＳ）を有する固定構成を用いて、ＵＥの前記第２のセットをページングするようにさらに構成された、請求項３１に記載の装置。
【請求項３９】
前記少なくとも１つのプロセッサが、狭帯域制御チャネルを用いてページング機会を構成するようにさらに構成された、請求項３１に記載の装置。
【請求項４０】
前記少なくとも１つのプロセッサが、第１のページング構成に従ってＵＥの前記第１のセットをページングすることと、第２のページング構成に従ってＵＥの前記第２のセットをページングすることとを行うようにさらに構成された、請求項３１に記載の装置。
【請求項４１】
前記少なくとも１つのプロセッサが、リソースの同じセットにおいてＵＥの前記第２のセットのすべてをページングするようにさらに構成された、請求項３１に記載の装置。
【請求項４２】
前記少なくとも１つのプロセッサが、狭帯域幅内の領域中に配置されたリソースブロックの既知のセットにおいてＵＥの前記第２のセットをページングするようにさらに構成された、請求項３１に記載の装置。
【請求項４３】
リソースブロックの前記既知のセットが、前記狭帯域幅の中心領域に配置された６つのリソースブロックを備える、請求項４２に記載の装置。
【請求項４４】
前記少なくとも１つのプロセッサが、ＵＥの前記第２のセットの第１のサブセットを第１のページング機会に割り当てることと、ＵＥの前記第２のセットの第２のサブセットを第２のページング機会に割り当てることとを行うようにさらに構成された、請求項３１に記載の装置。
【請求項４５】
前記狭帯域情報が、第１の狭帯域領域から第２の狭帯域領域に遷移するためのコマンドを含む、請求項３１に記載の装置。
【請求項４６】
前記狭帯域情報が、固定ロケーション中に配置されたデータを備える、請求項３１に記載の装置。
【請求項４７】
前記狭帯域情報が制御情報とデータとを備え、前記制御情報が固定の時間、周波数ならびに／または変調およびコーディング方式（ＭＣＳ）中に配置され、したがって前記狭帯域情報が、付随する制御信号なしに復号され得る、請求項３１に記載の装置。
【請求項４８】
前記広帯域情報が制御情報を含み、前記狭帯域情報が制御情報を含む、請求項３１に記載の装置。
【請求項４９】
前記狭帯域制御情報が、制限されたアグリゲーションレベル、制限されたＭＣＳシグナリング、制限されたブラインド復号、制限されたリソース割振りフィールドおよび／または制限された巡回冗長検査長を含む、前記広帯域制御情報よりも少ない情報を備える、請求項４８に記載の装置。
【請求項５０】
前記少なくとも１つのプロセッサが、広帯域幅においてまたは動的に変動する狭帯域幅において情報を受信するようにさらに構成され、前記少なくとも１つのプロセッサが、固定狭帯域幅において広帯域制御情報を備える広帯域情報を送信するようにさらに構成された、請求項３１に記載の装置。
【請求項５１】
前記広帯域情報が、リソースブロックの中央に位置するセット中に配置されたシステム情報と、動的に変動する狭帯域幅におけるデータとを備える、請求項３１に記載の装置。
【請求項５２】
前記少なくとも１つのプロセッサは、前記送信された広帯域情報および前記狭帯域情報がデータを備えるとき、前記広帯域情報のみに応答して肯定応答／否定応答（ＡＣＫ／ＮＡＣＫ）を受信するようにさらに構成された、請求項３１に記載の装置。
【請求項５３】
前記少なくとも１つのプロセッサが、符号分割多元接続（ＣＤＭＡ）処理または直交周波数分割多重接続（ＯＦＤＭＡ）処理に従ってアップリンク制御情報を送信するようにさらに構成された、請求項３１に記載の装置。
【請求項５４】
より広い帯域幅を含むシステムにおいて動作する狭帯域デバイスによるワイヤレス通信の装置であって、
メモリと、
前記メモリに結合された少なくとも１つのプロセッサであって、
前記より広い帯域幅の一部分のみを監視することと、
帯域幅の前記監視された部分において狭帯域情報を受信することと
を行うように構成された少なくとも１つのプロセッサと
を備える、装置。
【請求項５５】
前記狭帯域情報が、狭帯域システム情報のロケーションを示す制御情報を含む、請求項５４に記載の装置。
【請求項５６】
前記制御情報が変調およびコーディング方式（ＭＣＳ）を示す、請求項５５に記載の装置。
【請求項５７】
前記少なくとも１つのプロセッサが、前記制御情報を畳み込み符号化するようにさらに構成された、請求項５５に記載の装置。
【請求項５８】
前記少なくとも１つのプロセッサが、狭帯域システム情報の位置を特定するためにブラインド復号を実行することによって受信するように構成された、請求項５４に記載の装置。
【請求項５９】
前記少なくとも１つのプロセッサが、データ領域においてまたはページングチャネルにおいて狭帯域情報を受信することによって受信するように構成された、請求項５４に記載の装置。
【請求項６０】
前記狭帯域情報がデータおよび／またはページング情報を備える、請求項５４に記載の装置。
【請求項６１】
ワイヤレスネットワークにおけるワイヤレス通信のためのコンピュータプログラム製品であって、
非一時的プログラムコードを記録した非一時的コンピュータ可読媒体を備え、前記プログラムコードが、
ユーザ機器（ＵＥ）の第１のセットに広帯域情報を送信するためのプログラムコードと、
ＵＥの第２のセットに狭帯域情報を送信するためのプログラムコードであって、ＵＥの前記第２のセットが、ＵＥの前記第１のセットよりも狭い帯域幅において動作する、送信するためのプログラムコードと
を備える、コンピュータプログラム製品。
【請求項６２】
より広い帯域幅を含むシステムにおいて動作する狭帯域デバイスによるワイヤレス通信のためのコンピュータプログラム製品であって、
非一時的プログラムコードを記録した非一時的コンピュータ可読媒体を備え、前記プログラムコードが、
前記より広い帯域幅の一部分のみを監視するためのプログラムコードと、
帯域幅の前記監視された部分において狭帯域情報を受信するためのプログラムコードと
を備える、コンピュータプログラム製品。
【請求項６３】
ユーザ機器（ＵＥ）の第１のセットに広帯域情報を送信するための手段と、
ＵＥの第２のセットに狭帯域情報を送信するための手段であって、ＵＥの前記第２のセットが、ＵＥの前記第１のセットよりも狭い帯域幅において動作する、送信するための手段と
を備える、ワイヤレス通信のための装置。
【請求項６４】
より広い帯域幅を含むシステムにおいて動作する狭帯域デバイスによるワイヤレス通信のための装置であって、
前記より広い帯域幅の一部分のみを監視するための手段と、
帯域幅の前記監視された部分において狭帯域情報を受信するための手段と
を備える、装置。
【発明の詳細な説明】
【技術分野】
【０００１】
関連出願の相互参照
[0001]  本出願は、その開示全体が参照により本明細書に明確に組み込まれる、２０１１年９月１３日に出願された「Narrow Bandwidth Operation in LTE」と題する米国仮特許出願第６１／５３４，２０６号の米国特許法第１１９条（ｅ）項に基づく利益を主張する。
【０００２】
[0002]  本開示の態様は、一般にワイヤレス通信システムに関し、より詳細には、より広いＬＴＥ（登録商標）（ロングタームエボリューション）システム帯域幅内での狭帯域幅動作に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はＬｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ（登録商標））によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  一態様では、ワイヤレス通信の方法を開示する。本方法は、ユーザ機器（ＵＥ）の第１のセットに広帯域情報を送信することと、ＵＥの第２のセットに狭帯域情報を送信することとを含む。ＵＥの第２のセットは、ＵＥの第１のセットよりも狭い帯域幅において動作する。
【０００６】
[0006]  別の態様は、メモリと、メモリに結合された少なくとも１つのプロセッサとを有するワイヤレス通信を開示する。（１つまたは複数の）プロセッサは、ユーザ機器（ＵＥ）の第１のセットに広帯域情報を送信するように構成される。（１つまたは複数の）プロセッサは、ＵＥの第２のセットに狭帯域情報を送信することであって、ＵＥの第２のセットが、ＵＥの第１のセットよりも狭い帯域幅において動作する、送信することを行うようにも構成される。
【０００７】
[0007]  別の態様は、非一時的コンピュータ可読媒体を有するワイヤレスネットワークにおけるワイヤレス通信のためのコンピュータプログラム製品を開示する。コンピュータ可読媒体は、（１つまたは複数の）プロセッサによって実行されたとき、（１つまたは複数の）プロセッサに、ユーザ機器（ＵＥ）の第１のセットに広帯域情報を送信する動作を実行することを行わせる、非一時的プログラムコードを記録している。プログラムコードは、（１つまたは複数の）プロセッサに、ＵＥの第２のセットに狭帯域情報を送信することであって、ＵＥの第２のセットが、ＵＥの第１のセットよりも狭い帯域幅において動作する、送信することをも行わせる。
【０００８】
[0008]  別の態様は、ユーザ機器（ＵＥ）の第１のセットに広帯域情報を送信するための手段を含む、ワイヤレス通信のための装置を開示する。本装置は、ＵＥの第２のセットに狭帯域情報を送信するための手段をも含む。ＵＥの第２のセットは、ＵＥの第１のセットよりも狭い帯域幅において動作する。
【０００９】
[0009]  別の態様では、より広い帯域幅を含むシステムにおいて動作する狭帯域デバイスによるワイヤレス通信の方法を開示する。本方法は、より広い帯域幅の一部分のみを監視することを含む。本方法は、帯域幅の監視された部分において狭帯域情報を受信することをも含む。
【００１０】
[0010]  別の態様は、より広い帯域幅を含むシステムにおいて動作する狭帯域デバイスによるワイヤレス通信を開示し、メモリと、メモリに結合された少なくとも１つのプロセッサとを含む。（１つまたは複数の）プロセッサは、より広い帯域幅の一部分のみを監視するように構成される。（１つまたは複数の）プロセッサは、帯域幅の監視された部分において狭帯域情報を受信するようにも構成される。
【００１１】
[0011]  別の態様は、より広い帯域幅を含むシステムにおいて動作する狭帯域デバイスによるワイヤレス通信のためのコンピュータプログラム製品を開示する。本コンピュータプログラム製品は非一時的コンピュータ可読媒体を有する。コンピュータ可読媒体は、（１つまたは複数の）プロセッサによって実行されたとき、（１つまたは複数の）プロセッサに、より広い帯域幅の一部分のみを監視する動作を実行することを行わせる、非一時的プログラムコードを記録している。プログラムコードは、（１つまたは複数の）プロセッサに、帯域幅の監視された部分において狭帯域情報を受信することをも行わせる。
【００１２】
[0012]  別の態様は、より広い帯域幅を含むシステムにおいて動作する狭帯域デバイスによるワイヤレス通信のための装置を開示し、より広い帯域幅の一部分のみを監視するための手段を含む。プログラムコードは、（１つまたは複数の）プロセッサに、帯域幅の監視された部分において狭帯域情報を受信することをも行わせる。
【００１３】
[0013]  ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１４】
[0014]  本開示の特徴、特性、および利点は、全体を通じて同様の参照符号が同様のものを指す図面とともに、以下に記載する発明を実施するための形態を読めばより明らかになろう。
【図面の簡単な説明】
【００１５】
【図１】[0015]  ネットワークアーキテクチャの一例を示す図。
【図２】[0016]  アクセスネットワークの一例を示す図。
【図３】[0017]  ＬＴＥにおけるダウンリンクフレーム構造の一例を示す図。
【図４】[0018]  ＬＴＥにおけるアップリンクフレーム構造の一例を示す図。
【図５】[0019]  ユーザプレーンおよび制御プレーンのための無線プロトコルアーキテクチャの一例を示す図。
【図６】[0020]  アクセスネットワーク中の発展型ノードＢおよびユーザ機器の一例を示す図。
【図７】[0021]  本開示の一態様に従って構成された基地局／ｅノードＢおよび狭帯域幅ＵＥの設計を概念的に示すブロック図。
【図８Ａ】[0022]  狭帯域幅動作を概念的に示す図。
【図８Ｂ】狭帯域幅動作を概念的に示す図。
【図９Ａ】[0023]  例示的な装置中の異なるモジュール／手段／構成要素を示すブロック図。
【図９Ｂ】例示的な装置中の異なるモジュール／手段／構成要素を示すブロック図。
【発明を実施するための形態】
【００１６】
[0024]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１７】
[0025]  様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１８】
[0026]  例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ（procedure）、関数などを意味すると広く解釈されたい。
【００１９】
[0027]  したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２０】
[0028]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２１】
[0029]  Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、バックホール（たとえば、Ｘ２インターフェース）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２２】
[0030]  ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２３】
[0031]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮｏｄｅＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００２４】
[0032]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するＵｎｉｖｅｒｓａｌ  Ｔｅｒｒｅｓｔｒｉａｌ  Ｒａｄｉｏ  Ａｃｃｅｓｓ（ＵＴＲＡ）、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、ならびに、ＯＦＤＭＡを採用する、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２５】
[0033]  ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２６】
[0034]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２７】
[0035]  以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２８】
[0036]  図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２９】
[0037]  図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００３０】
[0038]  ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００３１】
[0039]  初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３２】
[0040]  図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００３３】
[0041]  ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３４】
[0042]  ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３５】
[0043]  制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３６】
[0044]  図６は、アクセスネットワーク中でＵＥ６５０と通信しているｅノードＢ６１０のブロック図である。ダウンリンクでは、コアネットワークからの上位レイヤパケットが、コントローラ／プロセッサ６７５に与えられる。コントローラ／プロセッサ６７５は、Ｌ２レイヤの機能を実装する。ダウンリンクでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３７】
[0045]  ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機（ＴＸ）６１８を介して異なるアンテナ６２０に与えられる。各送信機（ＴＸ）６１８は、送信のためにそれぞれの空間ストリームでＲＦキャリアを変調する。
【００３８】
[0046]  ＵＥ６５０において、各受信機（ＲＸ）６５４は、それのそれぞれのアンテナ６５２を通して信号を受信する。各受信機（ＲＸ）６５４は、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いでコントローラ／プロセッサ６５９に与えられる。
【００３９】
[0047]  コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４０】
[0048]  アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットのセグメント化および並べ替えと、ｅノードＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００４１】
[0049]  ｅノードＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機（ＴＸ）６５４を介して異なるアンテナ６５２に与えられる。各送信機（ＴＸ）６５４は、送信のためにそれぞれの空間ストリームでＲＦキャリアを変調する。
【００４２】
[0050]  アップリンク送信は、ＵＥ６５０における受信機機能に関して説明した方法と同様の方法でｅノードＢ６１０において処理される。各受信機（ＲＸ）６１８は、それのそれぞれのアンテナ６２０を通して信号を受信する。各受信機（ＲＸ）６１８は、ＲＦキャリア上で変調された情報を復元し、ＲＸプロセッサ６７０に情報を与える。ＲＸプロセッサ６７０はＬ１レイヤを実装し得る。
【００４３】
[0051]  コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４４】
[0052]  ＬＴＥにおける狭帯域幅動作
[0053]  本開示の一態様は、より広いＬＴＥシステム帯域幅内でのデバイスの狭帯域幅動作を含む。特に、これは、低コスト実装形態を可能にするという目的で狭帯域幅送信および受信が可能であるにすぎないデバイスのクラスをサポートする方法でネットワークを構成することを含む。一構成では、狭帯域ＵＥは、システム帯域幅が、２つのタイプのＵＥ、すなわち、通常のＵＥと狭帯域幅ＵＥとの間で共有されるということ以外に、レガシー問題を引き起こすことなしに、同じ周波数帯域内で他の全帯域幅ＬＴＥ  ＵＥと共存する。
【００４５】
[0054]  一態様は、広帯域チャネル全体をサンプリングおよび処理することなしに、ＬＴＥにおける低データレートサポート（たとえば、ＶｏＩＰ）を可能にする。特に、一態様は、たとえば、すでに定義されているようなリリース８、９および／または１０の仕様内で動作するように構成された、低コストＵＥまたは端末を提供する。図７に狭帯域幅動作を示し、その狭帯域幅動作において、Ｂ１は、狭帯域幅ＵＥによって使用される狭帯域幅であり、Ｂ０はレガシーＬＴＥ帯域幅であり、Ｂは有効複合レガシーおよび非レガシー帯域幅である。狭帯域幅ＵＥと低コストＬＴＥという用語は互換的に使用されることを諒解されよう。
【００４６】
[0055]  一態様は、単一モードＬＴＥ、低コストＵＥ端末を可能にすることを対象とする。たとえば、一構成では、プロトコルスタックの下位レイヤは、（場合によっては、たとえば、６つのリソースブロックの、下限を用いた）低コストＵＥの送信および受信のための狭帯域サンプリングを含み得る。低コストＵＥは、既存のＰＳＳ／ＳＳＳ／ＰＢＣＨ信号が６つのリソースブロック（ＲＢ：resource block）にわたるので、それらの信号を受信し得る。システム帯域幅全体にわたる共通基準信号（ＣＲＳ：common reference signal）は、狭帯域幅動作についてのみ低コストＵＥによって処理される。システム帯域幅全体にわたるチャネル状態情報基準信号（ＣＳＩ−ＲＳ：channel state information reference signal）は、（有意味な情報を与えるのに十分なサンプルを使用して）狭帯域幅動作について低コストＵＥによって処理されるか、または完全にスキップされ得る。ＣＳＩ−ＲＳは、（たとえば、多地点協調（ＣｏＭＰ：coordinated multipoint）フィードバックを可能にするために）サービングセルおよび場合によっては非サービングセルにおける複数のアンテナポートについてＵＥにおけるＣＳＩ推定のために使用されるべきパイロット信号として、リリース１０で導入された。
【００４７】
[0056]  一態様では、システム帯域幅全体にわたるＰＣＦＩＣＨ／ＰＨＩＣＨ／ＰＤＣＣＨ信号は、一構成では低コストＵＥによって処理されない（すなわち、それらの信号はスキップされる）。しかしながら、ｅノードＢは、周波数において物理ダウンリンク共有チャネル（ＰＤＳＣＨ）を局所化し、それを狭帯域幅にわたるように構成する。たとえば、ｅノードＢは、あるサブフレーム内のスロット境界において中心周波数を再同調させることを回避するためにサブフレーム内ホッピングを無効化し得、複数のサブフレームにわたって中心周波数を再同調させることを回避するために、サブフレーム間ホッピングがｅノードＢによって無効化され得、それにより狭帯域幅内での送信が維持される。
【００４８】
[0057]  別の態様では、ＵＥ送信も狭帯域幅ＵＥのために変更される。たとえば、物理ランダムアクセスチャネル（ＰＲＡＣＨ）は（それが６つのリソースブロックのみにわたるので）修正されないが、物理アップリンク共有チャネル（ＰＵＳＣＨ）は、周波数において局所化され、狭帯域幅にわたるように構成される。特に、あるサブフレーム内のスロット境界において中心周波数を再同調させることを回避するために、サブフレーム内ホッピングが無効化され得、複数のサブフレームにわたって中心周波数を再同調させることを回避するために、サブフレーム間ホッピングが無効化され得る。
【００４９】
[0058]  物理アップリンク制御チャネル（ＰＵＣＣＨ）も周波数において局所化される（たとえば、サブフレーム内の異なるキャリア周波数に再同調することを回避するために、ホッピングがスロット境界において無効化される）。ＵＥは、（ＴＤＤ動作の）ダウンリンク上で相反性（reciprocity）ベースのスケジューリングを除いて、構成可能な帯域幅上でサウンディング基準信号（ＳＲＳ：sounding reference signal）を送信し得る。狭帯域ＵＥ送信は、利用可能なシステム帯域幅全体を使用して通常のＬＴＥ動作と共存する。別の構成では、狭帯域幅ＵＥ送信のために処理複雑さが低減される。
【００５０】
[0059]  上位レイヤは、たとえば、システム情報ブロック（ＳＩＢ：system information block）の数など、システム情報構造の簡略化を含むように修正され得る。その上、ＳＩＢのコンテンツは、狭帯域幅サブシステムのための使用状況を示す情報を含むことができる。一構成では、システム情報は、複製される（すなわち、既存のＳＩＢの上で狭帯域幅動作のために送信される）か、または狭帯域幅動作のために再利用され、周波数ダイバーシティが失われる。
【００５１】
[0060]  様々なプロシージャ（procedure）が狭帯域幅動作において実装され得る。それらのプロシージャは、（ＳＩＢ１のための）物理セルＩＤの収集、ブロードキャスト制御、アイドルモードキャンピング、アクセス、接続モードキャンピング、ダウンリンク制御、アップリンク制御、ダウンリンクデータとアップリンクデータとのための送信モード、電力制御、報告、ＨＡＲＱ演算、測定および複信オプションを対象とし得る。以下で様々な実装形態の例について説明する。
【００５２】
[0061]  全帯域幅では、物理セルＩＤ（ＰＣＩ：physical cell ID）の収集は、送信帯域幅の中心において送信される６つのリソースブロック（ＲＢ）の構造を有する、ＰＳＳ／ＳＳＳ信号の検出に基づく。狭帯域幅送信のために構成された低コストＵＥでは、物理セルＩＤ（ＰＣＩ）検出のためのＰＳＳ／ＳＳＳ構造は狭帯域幅動作のために再利用される。物理ブロードキャストチャネル（ＰＢＣＨ：physical broadcast channel）を介したマスタ情報ブロック（ＭＩＢ：master information block）の送信は、６つの中央リソースブロックの構造を使用して行われ得、したがって狭帯域幅動作のための再利用のためにすぐに利用可能である。全帯域幅動作では、物理セルＩＤおよびマスタ情報ブロックが検出されると、ＵＥは、通常のＰＤＣＣＨ送信を介してスケジュールされたＳＩＢ−１を検出するように設定される。ＰＣＩ（ＰＳＳ／ＳＳＳ）−ＭＩＢ（ＰＢＣＨ）−ＳＩＢ１（ＰＤＣＣＨ／ＰＤＳＣＨ）−ＳＩＢおよびページング（ＰＤＣＣＨ／ＰＤＳＣＨ）のシーケンスは、レガシーＰＤＣＣＨがダウンリンク送信帯域幅全体にわたるので、およびＳＩＢ−１が（サブフレーム５上で）周波数において任意に配置され得るので、狭帯域幅動作のために使用されない。
【００５３】
[0062]  狭帯域幅動作では、ＳＩＢ１のＰＤＣＣＨなしスケジューリングが実装され得る。ＰＤＣＣＨの検出をバイパスするために、ＳＩＢ１を搬送するＰＤＳＣＨが、（狭帯域システムがそのように制限される場合、６つのＲＢを超えない）リソースブロックの既知のセット中で、ならびに既知の変調およびコーディング方式（ＭＣＳ：modulating and coding scheme）において送信される。狭帯域幅動作のための代替構成では、ＳＩＢ１のＥ−ＰＤＣＣＨ様スケジューリングが実装される。「Ｅ−ＰＤＣＣＨ様（E-PDCCH-like）」という用語は、サブフレームのデータ領域上での制御送信を指し、これは、リソース利用（ＦＤＭ／ＴＤＭ）の観点から中継動作についてＥ−ＰＤＣＣＨに似ていることがある。特に、低コストＵＥは、ＳＩＢ１のスケジューリングについて検査するために、所与のサブフレーム中の第４または第５のＯＦＤＭシンボルにおいて開始する、Ｅ−ＰＤＣＣＨ様送信のためのブラインド復号（blind decodes）を実行する。狭帯域幅動作のためのＳＩＢ１は、レガシー動作と同じである（その場合、ＰＤＣＣＨとＥ−ＰＤＣＣＨの両方が同じＰＤＳＣＨを指す）か、または（場合によっては他のシステム情報と統合された）異なる動作であり、より低い頻度で送信され得る。別の構成では、狭帯域幅動作は、畳み込みコーディングサポートのみ（たとえば、ターボコードを含まない）など、他の低コスト特徴（low-cost feature）にリンクされ、その場合、すべてのシステム情報（ＳＩ：system information）の送信が複製される。
【００５４】
[0063]  ブロードキャスト制御（たとえば、上記で説明したようなＳＩＢ１だけでなく、すべてのシステム情報ブロック（ＳＩＢ））に関係する様々なプロシージャが狭帯域幅動作において実装され得る。全帯域幅動作では、システム情報ブロック（ＳＩＢ）は、ＰＤＣＣＨを介してスケジュールされ、ＰＤＳＣＨ上で送信され、その場合、ＰＤＣＣＨの送信がダウンリンク送信帯域幅全体にわたる。狭帯域幅動作では、制御チャネルスケジューリングＳＩＢのためのおよびＰＤＳＣＨのための、周波数において局所化された送信が行われる。特に、一構成では、オーバーローディングが実装され、その場合、Ｅ−ＰＤＣＣＨ様制御と単一ＰＤＳＣＨ送信とを用いた割当てが、通常のＵＥと狭帯域幅対応ＵＥとの間で共有される。狭帯域幅対応ＵＥと全帯域幅対応ＵＥは同じデータ領域を見るが、通常のＵＥは帯域幅全体を見る。さらに、狭帯域幅動作のための別の構成では、Ｅ−ＰＤＣＣＨ様制御が使用され、その場合、狭帯域幅動作に関係するシステム情報が、通常のシステムの場合よりも少ない頻度で送信される合理化されたＳＩＢの形態で送信される。
【００５５】
[0064]  全帯域幅動作では、アイドルモードにあるとき、ＵＥは、ＰＤＳＣＨにおいてデータ割振りがその後に続く可能なページについて、ＰＤＣＣＨを読み取り、ＰＩ−ＲＮＴＩ（ページング情報−無線ネットワーク一時識別子：paging information - radio network temporary identifier）を探す。狭帯域幅動作では、ページのＰＤＣＣＨなしスケジューリングが実装され得る。この構成では、ＰＤＳＣＨが、（たとえば、６つのＲＢを超えない）リソースブロックの既知のセット中で、ならびに既知の変調およびコーディング方式（ＭＣＳ：modulation and coding scheme）において送信され、ページを搬送する。狭帯域幅動作のための代替構成では、ページングメッセージのＥ−ＰＤＣＣＨ様スケジューリングが、対応するサブフレームにおいて実装される。通常のＵＥのページングと狭帯域幅ＵＥのページングは分離され得る。アイドルモード動作では、狭帯域幅ＵＥは、同じ周波数ロケーション（たとえば、帯域の中央の６つのリソースブロック）にキャンプインし得る。ページング容量が問題になっている場合、各キャリアにおいて独立したページングを可能にするために、複数の狭帯域幅キャリアが同じレガシー送信帯域幅内で構成され得る。
【００５６】
[0065]  アクセスに関係する様々なプロシージャが狭帯域幅動作において実装され得る。全帯域幅ＵＥでは、初期アクセスが、６つのリソースブロックにわたる物理ランダムアクセスチャネル（ＰＲＡＣＨ）に基づく。ＰＲＡＣＨシグナリングの時間および周波数のロケーションは上位レイヤによって設定される（たとえば、データ送信の断片化を回避するためにアップリンク送信帯域幅のエッジにおいて周波数に関して設定される）。狭帯域幅動作では、ＰＲＡＣＨ機会（opportunities）のロケーションが同様に（すなわち、上記で説明したＳＩＢの検出を介して）識別され得る。このタイプの設定は、（ページの）ダウンリンク受信のための６つのリソースブロックと（ＰＲＡＣＨの）アップリンク送信のための６つのリソースブロックが複数の場所にあることができるように、ダウンリンク中央周波数とアップリンク中央周波数との間のフレキシブルな複信分離（duplexing separation）を使用し得る。代替的に、ＰＲＡＣＨ中心周波数はアップリンクキャリア周波数の中央に設定され得る。
【００５７】
[0066]  接続モードキャンピングに関係する様々なプロシージャが狭帯域幅動作において実装され得る。接続モードでは、全帯域幅動作可能なＵＥは、割り当てられた周波数帯域における動作に従って受信のためのダウンリンク中心周波数と送信のためのアップリンク中心周波数とを有する。受信および送信におけるサンプリングは、割振りが周波数において部分的であり得るが、ダウンリンク／アップリンク送信帯域幅内のロケーションに関する制限がないように、それぞれダウンリンクシステム帯域幅およびアップリンクシステム帯域幅に従って行われる。狭帯域幅動作では、ダウンリンク受信およびアップリンク送信のリソースブロックの周波数ロケーションは、必ずしも図７に示すように帯域の中心にあるとは限らない。むしろ、狭動作帯域幅のためのリソースブロックは上記帯域中のどこにでも配置され得る。一構成では、狭帯域幅領域は、狭動作帯域内の任意のロケーション中に配置された６つのリソースブロックを含む。異なるリソースブロック上に異なる狭帯域幅ＵＥを配置する機能は、所与のサブフレーム内のこれらのＵＥのための周波数領域における多重化を可能にする。上位レイヤシグナリングが狭帯域幅ＵＥに送信／受信中心周波数を示す。
【００５８】
[0067]  狭帯域幅動作では、物理制御フォーマットインジケータチャネル（ＰＣＦＩＣＨ：physical control format indicator channel）、物理ハイブリッドＡＲＱインジケータチャネル（ＰＨＩＣＨ：physical hybrid ARQ indicator channel）、および物理ダウンリンク制御チャネル（ＰＤＣＣＨ：physical downlink control channel）など、ダウンリンク制御に関係する様々なプロシージャが実装され得る。ＰＣＦＩＣＨは、対応するサブフレームのための直交周波数分割多重（ＯＦＤＭ）シンボルの数における制御スパンを示す。狭帯域幅動作の一構成では、ＰＣＦＩＣＨは使用されない。狭帯域幅動作のためのデータ／Ｅ−ＰＤＣＣＨ送信のための開始ＯＦＤＭシンボルは、固定であり（たとえば、第４のＯＦＤＭシンボル）、（たとえばダウンリンクにおける狭帯域幅送信のための有効データ領域のための何らかの追加のＯＦＤＭシンボルを活用することが可能であるようにＰＢＣＨまたは何らかの他のＳＩＢによって）半静的に構成され、および／または動的に構成され得る（たとえば、狭帯域幅ＵＥのためのデータ（ＰＤＳＣＨ）送信のための第１のシンボルを示すためにＥ−ＰＤＣＣＨ／Ｅ−ＰＨＩＣＨ構造内で搬送され得る）。
【００５９】
[0068]  ＰＨＩＣＨはダウンリンク肯定応答（ＡＣＫ）を搬送し、狭帯域幅動作のための一構成では、ダウンリンクＡＣＫはなくなる。代わりに、スケジュールされた再送信が依拠され、または、場合によっては、ＨＡＲＱ演算が狭帯域幅動作のために削除される。代替構成では、Ｅ−ＰＨＩＣＨ様（E-PHICH-like）構造がデータ領域において実装される。一例では、Ｅ−ＰＤＣＣＨ構造が再利用され得る。
【００６０】
[0069]  ＰＤＣＣＨは、ダウンリンク割当て、アップリンク割当て、および電力制御コマンドを搬送する。狭帯域幅動作では、Ｅ−ＰＤＣＣＨ様構造が実装され得、その場合、Ｅ−ＰＤＣＣＨが再利用される。代替的に、別の構成では、（ＰＤＳＣＨの一部としての）プリアンブルベースの構造が実装される。一例では、これはＥｖ−ＤＯ（ｅｖｏｌｕｔｉｏｎ  ｆｏｒ  ｄａｔａ  ｏｐｔｉｍｉｚｅｄ）と同様であり、その場合、ダウンリンク割当てがなくなり得る。スクランブリングはＰＤＳＣＨのためのＵＥ  ＩＤ（Ｃ−ＲＮＴＩ）に基づき得、（ＨＳＰＡ（高速パケットアクセス：high speed packet access）におけるＨＳ−ＳＣＣＨ（高速共有制御チャネル：high speed shared control channel）なし動作と同様に）ＰＤＳＣＨブラインド復号がＭＣＳの制限されたセットのために実行される。アップリンク割当では、アップリンク許可が使用される。狭帯域幅動作は、（ＰＤＳＣＨ内で）媒体アクセス制御（ＭＡＣ：medium access control）プロトコルデータユニット（ＰＤＵ：protocol data unit）ベースの割当てを使用し得る。さらに、複数のＵＥのオーバーローディングとともに半永続的スケジューリング（ＳＰＳ：semi-persistent scheduling）が使用され得る。
【００６１】
[0070]  アグリゲーションレベル（aggregation levels）が制限されるかまたはないことがある。さらに、変調およびコーディング方式（ＭＣＳ）シグナリングが制限され得る。狭帯域幅動作のためのいくつかの構成では、制限されたブラインド復号が実装され得る。さらに、リソース割振りフィールドが制限されるかまたはないことがある。リソース割振りのグラニュラリティ（現在１つのリソースブロック）および巡回冗長検査（ＣＲＣ）は、それぞれ狭帯域幅動作のために再査定され得る。
【００６２】
[0071]  アップリンク制御に関係する様々なプロシージャが狭帯域幅動作において実装され得る。全帯域幅動作では、物理アップリンク制御チャネル（ＰＵＣＣＨ）は、サブフレーム内のスロット境界においてホッピングするための固有のプロパティを有する。リリース１０では、ＬＴＥは、ＰＵＣＣＨフォーマット０をスケジューリング要求（ＳＲ：scheduling request）を搬送するものとして定義する。ＰＵＣＣＨフォーマット１ａ／１ｂは、アップリンクＡＣＫの１〜２ビットを搬送するように定義される。ＰＵＣＣＨフォーマット２／２ａ／２ｂは、（ＰＵＣＣＨフォーマット２ａ／２ｂのために）場合によってはアップリンクＡＣＫと併せてチャネル状態情報（ＣＳＩ：channel state information）（たとえば、チャネル品質インデックス（ＣＱＩ：channel quality index）、プリコーディング行列インジケータ（ＰＭＩ：precoding matrix indicator）、およびランクインジケータ（ＲＩ：rank indicator））を搬送するように定義される。ＰＵＣＣＨフォーマット３は、キャリアアグリゲーションシナリオおよびＴＤＤにおいてマルチビットＡＣＫ送信のために定義される。
【００６３】
[0072]  狭帯域幅におけるアップリンク動作のための一構成では、スロット境界におけるホッピングなしに既存のフォーマットが再利用される。その上、低コスト狭帯域幅ＵＥのためにサポートされるＰＵＣＣＨフォーマットのセットは制限され得る。１つの例示的な構成では、ＰＵＣＣＨフォーマット０はスケジューリング要求（ＳＲ）のために使用される。代替的に、アップリンクリソースがランダムアクセス制御チャネル（ＲＡＣＨ：random access control channel）を介してアクセスされ得、フォーマット０はサポートされない。
【００６４】
[0073]  ＰＵＣＣＨフォーマット１ａ／１ｂは、アップリンクＡＣＫビットの送信のために使用され得、これは、ダウンリンク上でのＨＡＲＱ演算の結果である。ＨＡＲＱ演算が狭帯域幅ＵＥによってダウンリンクにおいてサポートされない場合、このフォーマットは使用されない。（たとえば、データ送信のダウンリンクカバレージを改善するために）ダウンリンクＨＡＲＱ演算がサポートされる場合、一態様では、アップリンク上でＡＣＫビットを搬送するフォーマットがサポートされる。たとえば、アップリンクＡＣＫビットの送信は、既存のＰＵＣＣＨフォーマット１ａ／１ｂを再利用することによって実行され得、または、代替的に、アップリンク上でＡＣＫビットを搬送するための機構が利用され得る。
【００６５】
[0074]  ＰＵＣＣＨフォーマット２は、周期ＣＳＩフィードバック機構を与え、ダウンリンクＨＡＲＱ演算およびダウンリンク電力制御に関係する。一構成では、このＵＥフィードバックは、（静的デバイスであり得る）狭帯域幅ＵＥの場合、頻繁でない。場合によっては、別の構成では、ＰＵＣＣＨフォーマット２は狭帯域幅動作のためにサポートされず、代わりに非周期ＣＱＩ機構が使用される。さらに、低コスト狭帯域幅動作のための一構成では、ＰＣＣＨフォーマット３は使用されない。
【００６６】
[0075]  狭帯域幅におけるアップリンク動作のための別の構成では、ＣＤＭＡベースのアップリンク制御が実装される。狭帯域幅システム（たとえば、６つのＲＢを用いた狭帯域幅システム）上でのＰＵＣＣＨ送信からのオーバーヘッドが極めて粗く（１６．６６％の倍数単位で）スケーリングするので、ＣＤＭＡベースのアップリンク制御は実装され得る。より良いグラニュラリティ（granularity）を達成するために、いくつかのＰＵＣＣＨが、ＣＤＭＡにおいて同じリソースブロック上で多重化され得、その場合、各ＰＵＣＣＨチャネルは、それのユニークなＰＮ（擬似雑音）シーケンスによって広げられる。
【００６７】
[0076]  一態様では、スケジューリング要求はＲＡＣＨを介して行われ、ＣＳＩフィードバックは通常のＰＵＳＣＨを介して実行される。その場合、既存のＰＵＣＣＨフォーマット１ａ／１ｂは再利用され得る。一態様では、ダウンリンクＭＩＭＯがすべての低コストＵＥによってサポートされるとは限らないことがあるので、１ａは再利用される。代替的に、別の態様では、アップリンク上でＡＣＫビットを搬送するために新しい機構が利用される。
【００６８】
[0077]  ダウンリンクデータ送信モードとアップリンクデータ送信モードとに関係する様々なプロシージャが狭帯域幅動作において実装され得る。特に、狭帯域幅ダウンリンクデータ送信モードでは、共通基準信号（ＣＲＳ）が使用され得る。ＣＲＳは、ＵＥ基準信号（ＲＳ：reference signal）の代わりに、ＵＥ−ＲＳ送信によって生じるオーバーヘッドをなくすために利用され得る。さらに、別の態様では、ＣＳＩ−ＲＳに基づいて推定する代わりに、ＣＲＳのチャネル状態情報（ＣＳＩ）推定が使用される。ＣＳＩ−ＲＳは、ＣＲＳのための最初の２つのアンテナポートのための８つのサンプルポイントの代わりに、各リソースブロックについて各アンテナについて１つのサンプルポイントを与える。したがって、ＣＳＩフィードバックは、狭帯域幅ＵＥのためのＣＲＳに基づき得る。別の構成では、（たとえば、ＥｖＤＯの場合と同様に）マルチユーザパケットが使用され得る。
【００６９】
[0078]  狭帯域幅動作におけるアップリンクデータ送信モードでは、アップリンクホッピング動作がない。さらに、クラスタリングされたアップリンク送信がなく、ＰＵＣＣＨ＋ＰＵＳＣＨ送信がない。
【００７０】
[0079]  電力制御に関係する様々なプロシージャが狭帯域幅動作において実装され得る。特に、アップリンク電力制御のための送信電力制御（ＴＰＣ：transmit power control）コマンドは、全帯域幅動作におけるダウンリンク割当てとアップリンク許可とのための様々なダウンリンク制御情報（ＤＣＩ：downlink control information）フォーマットの一部である。この同じ機構が、Ｅ−ＰＤＣＣＨ構造の一部として狭帯域幅動作のために使用され得る。言い換えれば、電力制御コマンドは、全帯域ＰＤＣＣＨの代わりに、狭帯域制御チャネル（たとえば、Ｅ−ＰＤＣＣＨ）中で受信され得る。狭帯域幅におけるダウンリンク動作のための電力制御は（利用可能な場合）ＵＥからのＣＱＩ報告に基づき得る。別の構成では、開ループが電力制御のために使用される。
【００７１】
[0080]  他の態様では、ＨＡＲＱ演算が有効化されることも有効化されないこともある。一態様では、ＨＡＲＱ演算は、狭帯域幅の低コストＵＥ動作のために無効化される。ＨＡＲＱを無効化することは、ＰＨＩＣＨ置換および／またはＰＵＣＣＨフォーマット１ａ／１ｂ置換の使用を犠牲にし得る。
【００７２】
[0081]  無線リソース管理（ＲＲＭ：radio resource management）および／またはＲＬＭ（無線リンク監視：radio link monitoring）測定に関係する様々なプロシージャが狭帯域幅動作において実装され得る。特に、サービングセルの測定は、接続モードにあるＵＥがキャンピングしているダウンリンクリソースブロック上のＣＲＳに基づく。
【００７３】
[0082]  複信オプションに関係する様々なプロシージャが狭帯域幅動作において実装され得る。特に、様々な複信オプションは、ダウンリンクにおける復号および復調のために、ならびにアップリンク上での送信のために、どのリソースブロックが使用されるかを判断し得る。
【００７４】
[0083]  全帯域幅動作では、システム情報の送信は、帯域の異なる部分上で同じシステム情報の送信を複製することを回避するために、リソースブロックの１つのセット中での送信である。しかしながら、（システム情報（ＳＩ）以外の）ダウンリンクデータ送信について、およびアップリンクデータ送信について、異なるＵＥをリソースブロックの異なるセットに移動させる能力は、より多くのＵＥとより高いデータレートをサポートする機能を与える。したがって、狭帯域幅ＵＥでは、システム情報はリソースブロックの異なるセット中で送信され得る。
【００７５】
[0084]  第１の可変複信オプションでは、ダウンリンク送信は、６つの中央リソースブロック中にある。アップリンク送信は、帯域幅スペクトル中のどこにでもあり得る。第２の複信オプションでは、ダウンリンクについて、ＳＩＢが６つの中央リソースブロック中にあり、接続モードＵＥのためのユニキャストデータが、いずれかの６つのリソースブロック中にある。この第２の複信オプションでは、ネットワークは、情報の変化についてＵＥをページングする。ＵＥは、次いで中央の６つのリソースブロックに同調する。ネイバーセル（neighbor cell）のＵＥ探索は、リリース８における（すなわち、中央の６つのＲＢにおいてＰＳＳ／ＳＳＳを受信するための）周波数間測定と同様であり得る。
【００７６】
[0085]  別の態様では、ＳＩＢは、レガシー送信から再利用され得るか、または新たに送信され得る。
【００７７】
[0086]  別の態様では、ＰＢＣＨの送信をなくすことによって、１．４ＭＨｚシステムが合理化され得る。一態様では、狭帯域の低コストＵＥはＰＢＣＨ（たとえば、マスタ情報ブロック（ＭＩＢ））を利用しない。ＰＢＣＨは、システムフレーム番号（ＳＦＮ：system frame number）を搬送するために使用され得る。さらに、ＰＢＣＨは、ＣＲＳアンテナポートの数によってＣＲＣマスキングを搬送するために利用され得る。一態様では、ＣＲＳ動作のためのアンテナポートの数はＵＥにおいてブラインド検出され得る。代替的に、狭帯域動作では、４つのＣＲＳポートが、対応するリソースブロックにおけるダウンリンク送信について仮定され得る。
【００７８】
[0087]  一構成では、ｅノードＢ６１０は、ワイヤレス通信のために構成され、ＵＥの第１のセット（すなわち、全帯域幅範囲において動作するように構成された通常のＵＥ）に広帯域情報を送信するように構成される。ｅノードＢ６１０は、ＵＥの第２のセット（すなわち、狭帯域幅デバイス）により狭い帯域幅における狭帯域情報を送信する。一態様では、ｅノードＢ１１０は、コントローラ／プロセッサ６７５、送信プロセッサ６１６、送信機６１８、および／またはアンテナ６２０を介して送信する。
【００７９】
[0088]  一構成では、狭帯域幅ＵＥ６５０は、より広い帯域幅を有するワイヤレス通信システムにおいて動作するように構成され、より広い帯域幅の一部分のみを監視するように構成される。ＵＥ６５０は、帯域幅の監視された部分において狭帯域情報を受信する。一態様では、ＵＥ６５０は、アンテナ６５２、受信機６５４、受信プロセッサ６５６、コントローラ／プロセッサ６５９および／またはメモリ６６０を介して受信する。
【００８０】
[0089]  図８Ａに、より狭い帯域幅において動作するための方法８０１を示す。ブロック８１０において、ｅノードＢは、ＵＥの第１のセットに広帯域情報を送信する。ブロック８１２において、ｅノードＢは、ＵＥの第２のセットに狭帯域情報を送信する。ＵＥの第２のセットは、ＵＥの第１のセットよりも狭い帯域幅において動作する。
【００８１】
[0090]  図８Ｂに、より広い帯域幅を含むシステムにおいて狭帯域デバイスを動作させるための方法８０２を示す。ブロック８２０において、ＵＥは、より広い帯域幅の一部分のみを監視する。ブロック８２２において、ＵＥは、帯域幅の監視された部分において狭帯域情報を受信する。図９Ａおよび図９Ｂは、処理システム９１４を採用する装置９００のためのハードウェア実装形態の一例を示す図である。図９Ａは、ｅノードＢとともに使用する装置９００ａを示しており、図９Ｂは、ＵＥとともに使用する装置９００ｂを示している。図９Ａと図９Ｂの両方で、処理システム９１４は、バス９２４によって概略的に表されるバスアーキテクチャを用いて実装され得る。バス９２４は、処理システム９１４の特定の適用例および全体的な設計制約に応じて、任意の数の相互接続バスおよびブリッジを含み得る。
【００８２】
[0091]  図９Ａおよび図９Ｂ中の装置９００ａおよび９００ｂの各々は、トランシーバ９３０に結合された処理システム９１４を含む。トランシーバ９３０は、１つまたは複数のアンテナ９２０に結合される。トランシーバ９３０は、伝送媒体を介して様々な他の装置と通信することを可能にする。処理システム９１４は、コンピュータ可読媒体９２６に結合されたプロセッサ９２２を含む。プロセッサ９２２は、コンピュータ可読媒体９２６に記憶されたソフトウェアの実行を含む一般的な処理を担当する。ソフトウェアは、プロセッサ９２２によって実行されたとき、処理システム９１４に、いずれかの特定の装置について説明する様々な機能を実行することを行わせる。コンピュータ可読媒体９２６はまた、ソフトウェアを実行するときにプロセッサ９２２によって操作されるデータを記憶するために使用され得る。
【００８３】
[0092]  図９Ａでは、バス９２４は、プロセッサ９２２によって表される１つまたは複数のプロセッサおよび／またはハードウェアモジュールと、コンピュータ可読媒体９２６と、モジュール９０２および９０４とを含む様々な回路を互いにリンクする。バス９２４はまた、タイミングソース、周辺機器、電圧調整器、および電力管理回路など、様々な他の回路をリンクし得るが、これらの回路は当技術分野においてよく知られており、したがって、これ以上説明しない。
【００８４】
[0093]  図９Ａでは、処理システム９１４は、広帯域情報を送信するためのモジュール９０２を含む。処理システム９１４は、狭帯域情報を送信するためのモジュール９０４をも含む。それらのモジュールは、プロセッサ９２２中で動作し、コンピュータ可読媒体９２６中に常駐する／記憶された、ソフトウェアモジュールであるか、プロセッサ９２２に結合された１つまたは複数のハードウェアモジュールであるか、またはそれらの何らかの組合せであり得る。処理システム９１４は、基地局６１０の構成要素であり得、メモリ６７６およびコントローラ／プロセッサ６７５を含み得る。
【００８５】
[0094]  図９Ｂでは、バス９２４は、プロセッサ９２２によって表される１つまたは複数のプロセッサおよび／またはハードウェアモジュールと、コンピュータ可読媒体９２６と、モジュール９３２および９３４とを含む様々な回路を互いにリンクする。処理システム９１４は、より広い帯域幅の一部分のみを監視するためのモジュール９３２を含む。処理システム９１４は、狭帯域情報を受信するためのモジュール９３４をも含む。それらのモジュールは、プロセッサ９２２中で動作し、コンピュータ可読媒体９２６中に常駐する／記憶された、ソフトウェアモジュールであるか、プロセッサ９２２に結合された１つまたは複数のハードウェアモジュールであるか、またはそれらの何らかの組合せであり得る。処理システム９１４は、ＵＥ６５０の構成要素であり得、メモリ６６０、および／またはコントローラ／プロセッサ６５９を含み得る。
【００８６】
[0095]  さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００８７】
[0096]  本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８８】
[0097]  本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８９】
[0098]  １つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびｂｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００９０】
[0099]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2018038042.tif 000003
【図２】
2018038042.tif 000004
【図３】
2018038042.tif 000005
【図４】
2018038042.tif 000006
【図５】
2018038042.tif 000007
【図６】
2018038042.tif 000008
【図７】
2018038042.tif 000009
【図８Ａ】
2018038042.tif 000010
【図８Ｂ】
2018038042.tif 000011
【図９Ａ】
2018038042.tif 000012
【図９Ｂ】
2018038042.tif 000013
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
より広い帯域幅を含むシステムにおいて動作する狭帯域ユーザ機器（ＵＥ）によるワイヤレス通信の方法であって、
前記より広い帯域幅の一部分のみを、前記狭帯域ＵＥで、監視することと、
帯域幅の前記監視された部分においてダウンリンク狭帯域情報を、前記狭帯域ＵＥで、受信することと、
前記より広い帯域幅でのダウンリンク肯定応答／否定応答（ＡＣＫ／ＮＡＣＫ）インジケータチャネルのフォーマットを使用して、前記受信されたダウンリンク狭帯域情報に応答して、ダウンリンクＡＣＫ／ＮＡＣＫを、前記狭帯域ＵＥから、送信することと、
基地局にアップリンク狭帯域情報を、前記狭帯域ＵＥから、送信すること、ここにおいて、前記狭帯域ＵＥは、前記より広い帯域幅でのアップリンクＡＣＫ／ＮＡＣＫインジケータチャネルのフォーマットを使用しない、と、
を備える、方法。
【請求項２】
前記ダウンリンク狭帯域情報が、狭帯域システム情報のロケーションを示す制御情報を含む、請求項１に記載の方法。
【請求項３】
前記制御情報が変調およびコーディング方式（ＭＣＳ）を示す、請求項２に記載の方法。
【請求項４】
前記制御情報を畳み込み符号化することをさらに備える、請求項２に記載の方法。
【請求項５】
前記受信することが、狭帯域システム情報の位置を特定するためにブラインド復号を実行することを備える、請求項１に記載の方法。
【請求項６】
前記受信することが、データ領域においてまたはページングチャネルにおいてダウンリンク狭帯域情報を受信することを備える、請求項１に記載の方法。
【請求項７】
前記ダウンリンク狭帯域情報がデータおよび／またはページング情報を備える、請求項１に記載の方法。
【請求項８】
より広い帯域幅を含むシステムにおいてワイヤレス通信のために構成されたユーザ機器（ＵＥ）であって、
メモリと、
前記メモリに結合された少なくとも１つのプロセッサであって、
前記より広い帯域幅の一部分のみを監視することと、
帯域幅の前記監視された部分においてダウンリンク狭帯域情報を受信することと、
前記より広い帯域幅でのダウンリンク肯定応答／否定応答（ＡＣＫ／ＮＡＣＫ）インジケータチャネルのフォーマットを使用して、前記受信されたダウンリンク狭帯域情報に応答して、ダウンリンクＡＣＫ／ＮＡＣＫを送信することと、
基地局にアップリンク狭帯域情報を送信すること、ここにおいて、前記ＵＥは、前記より広い帯域幅でのアップリンクＡＣＫ／ＮＡＣＫインジケータチャネルのフォーマットを使用しない、と、
を行うように構成された少なくとも１つのプロセッサと
を備える、ＵＥ。
【請求項９】
前記ダウンリンク狭帯域情報が、狭帯域システム情報のロケーションを示す制御情報を含む、請求項８に記載のＵＥ。
【請求項１０】
前記制御情報が変調およびコーディング方式（ＭＣＳ）を示す、請求項９に記載のＵＥ。
【請求項１１】
前記少なくとも１つのプロセッサが、前記制御情報を畳み込み符号化するようにさらに構成された、請求項９に記載のＵＥ。
【請求項１２】
前記少なくとも１つのプロセッサが、狭帯域システム情報の位置を特定するためにブラインド復号を実行することによって受信するように構成された、請求項８に記載のＵＥ。
【請求項１３】
前記少なくとも１つのプロセッサが、データ領域においてまたはページングチャネルにおいてダウンリンク狭帯域情報を受信するように構成された、請求項８に記載のＵＥ。
【請求項１４】
前記ダウンリンク狭帯域情報がデータおよび／またはページング情報を備える、請求項８に記載のＵＥ。
【請求項１５】
より広い帯域幅を含むシステムにおいて動作する狭帯域デバイスによるワイヤレス通信のためのコンピュータ読取可能記録媒体であって、前記コンピュータ読取可能記録媒体は、その上にプログラムコードを記録され、前記プログラムコードが、
前記より広い帯域幅の一部分のみを、ユーザ機器（ＵＥ）で、監視するためのプログラムコードと、
帯域幅の前記監視された部分において狭帯域情報を、前記ＵＥで、受信するためのプログラムコードと、
前記より広い帯域幅でのダウンリンク肯定応答／否定応答（ＡＣＫ／ＮＡＣＫ）インジケータチャネルのフォーマットを使用して、前記受信されたダウンリンク狭帯域情報に応答して、ダウンリンクＡＣＫ／ＮＡＣＫを、前記ＵＥから、送信するためのプログラムコードと、
基地局にアップリンク狭帯域情報を前記ＵＥから送信するためのプログラムコード、ここにおいて、前記ＵＥは、前記より広い帯域幅でのアップリンクＡＣＫ／ＮＡＣＫインジケータチャネルのフォーマットを使用しない、と、
を備える、コンピュータ読取可能記録媒体。
【請求項１６】
より広い帯域幅を含むシステムにおいて動作する狭帯域デバイスによるワイヤレス通信のための装置であって、
前記より広い帯域幅の一部分のみを、ユーザ機器（ＵＥ）で、監視するための手段と、
帯域幅の前記監視された部分においてダウンリンク狭帯域情報を、前記ＵＥで、受信するための手段と、
前記より広い帯域幅でのダウンリンク肯定応答／否定応答（ＡＣＫ／ＮＡＣＫ）インジケータチャネルのフォーマットを使用して、前記受信されたダウンリンク狭帯域情報に応答して、ダウンリンクＡＣＫ／ＮＡＣＫを、前記ＵＥから、送信するための手段と、
基地局にアップリンク狭帯域情報を、前記ＵＥから、送信するための手段、ここにおいて、前記ＵＥは、前記より広い帯域幅でのアップリンクＡＣＫ／ＮＡＣＫインジケータチャネルのフォーマットを使用しない、と、
を備える、装置。
【手続補正２】
【補正対象書類名】明細書
【補正対象項目名】００９０
【補正方法】変更
【補正の内容】
【００９０】
[0099]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願の出願当初の特許請求の範囲に記載された発明を付記する。
［Ｃ１］
ユーザ機器（ＵＥ）の第１のセットに広帯域情報を送信することと、
ＵＥの第２のセットに狭帯域情報を送信することであって、ＵＥの前記第２のセットが、ＵＥの前記第１のセットよりも狭い帯域幅において動作する、送信することと
を備える、ワイヤレス通信の方法。
［Ｃ２］
前記広帯域情報が、第１のシステム情報ブロック（ＳＩＢ）を示す制御情報を備え、前記狭帯域情報が、第２のＳＩＢを示す制御情報を備える、Ｃ１に記載の方法。
［Ｃ３］
前記第１のＳＩＢと前記第２のＳＩＢが同じである、Ｃ２に記載の方法。
［Ｃ４］
前記第２のＳＩＢが、ネイバーセル、周波数間ハンドオーバ、および／または無線間アクセス技術（ｉＲＡＴ）ハンドオーバに関して、前記第１のＳＩＢよりも少ない情報を備える、Ｃ２に記載の方法。
［Ｃ５］
前記第２のＳＩＢを畳み込み符号化することをさらに備える、Ｃ２に記載の方法。
［Ｃ６］
狭帯域幅においてリソースの固定セットをスケジュールすることをさらに備える、Ｃ１に記載の方法。
［Ｃ７］
狭帯域制御チャネルを用いて狭帯域情報をスケジュールすることをさらに備える、Ｃ１に記載の方法。
［Ｃ８］
固定の時間、周波数ならびに／または変調およびコーディング方式（ＭＣＳ）を有する固定構成を用いて、ＵＥの前記第２のセットをページングすることをさらに備える、Ｃ１に記載の方法。
［Ｃ９］
狭帯域制御チャネルを用いてページング機会を構成することをさらに備える、Ｃ１に記載の方法。
［Ｃ１０］
第１のページング構成に従ってＵＥの前記第１のセットをページングすることと、第２のページング構成に従ってＵＥの前記第２のセットをページングすることとをさらに備える、Ｃ１に記載の方法。
［Ｃ１１］
リソースの同じセットにおいてＵＥの前記第２のセットのすべてをページングすることをさらに備える、Ｃ１に記載の方法。
［Ｃ１２］
狭帯域幅内の領域中に配置されたリソースブロックの既知のセットにおいてＵＥの前記第２のセットをページングすることをさらに備える、Ｃ１に記載の方法。
［Ｃ１３］
リソースブロックの前記既知のセットが、前記狭帯域幅の中心領域に配置された６つのリソースブロックを備える、Ｃ１２に記載の方法。
［Ｃ１４］
ＵＥの前記第２のセットの第１のサブセットを第１のページング機会に割り当てることと、ＵＥの前記第２のセットの第２のサブセットを第２のページング機会に割り当てることとをさらに備える、Ｃ１に記載の方法。
［Ｃ１５］
前記狭帯域情報が、第１の狭帯域領域から第２の狭帯域領域に遷移するためのコマンドを含む、Ｃ１に記載の方法。
［Ｃ１６］
前記狭帯域情報が、固定ロケーション中に配置されたデータを備える、Ｃ１に記載の方法。
［Ｃ１７］
前記狭帯域情報が制御情報とデータとを備え、前記制御情報が固定の時間、周波数ならびに／または変調およびコーディング方式（ＭＣＳ）中に配置され、したがって前記狭帯域情報が、付随する制御信号なしに復号され得る、Ｃ１に記載の方法。
［Ｃ１８］
前記広帯域情報が制御情報を含み、前記狭帯域情報が制御情報を含む、Ｃ１に記載の方法。
［Ｃ１９］
前記狭帯域制御情報が、制限されたアグリゲーションレベル、制限されたＭＣＳシグナリング、制限されたブラインド復号、制限されたリソース割振りフィールドおよび／または制限された巡回冗長検査長を含む、前記広帯域制御情報よりも少ない情報を備える、Ｃ１８に記載の方法。
［Ｃ２０］
広帯域幅においてまたは動的に変動する狭帯域幅において情報を受信することをさらに備え、
広帯域情報を送信することが、固定狭帯域幅において広帯域制御情報を送信することを備える、Ｃ１に記載の方法。
［Ｃ２１］
前記広帯域情報が、リソースブロックの中央に位置するセット中に配置されたシステム情報と、動的に変動する狭帯域幅におけるデータとを備える、Ｃ１に記載の方法。
［Ｃ２２］
前記送信された広帯域情報および前記狭帯域情報がデータを備えるとき、前記広帯域情報のみに応答して肯定応答／否定応答（ＡＣＫ／ＮＡＣＫ）を受信することをさらに備える、Ｃ１に記載の方法。
［Ｃ２３］
符号分割多元接続（ＣＤＭＡ）処理または直交周波数分割多重接続（ＯＦＤＭＡ）処理に従ってアップリンク制御情報を送信することをさらに備える、Ｃ１に記載の方法。
［Ｃ２４］
より広い帯域幅を含むシステムにおいて動作する狭帯域デバイスによるワイヤレス通信の方法であって、
前記より広い帯域幅の一部分のみを監視することと、
帯域幅の前記監視された部分において狭帯域情報を受信することと
を備える、方法。
［Ｃ２５］
前記狭帯域情報が、狭帯域システム情報のロケーションを示す制御情報を含む、Ｃ２４に記載の方法。
［Ｃ２６］
前記制御情報が変調およびコーディング方式（ＭＣＳ）を示す、Ｃ２５に記載の方法。
［Ｃ２７］
前記制御情報を畳み込み符号化することをさらに備える、Ｃ２５に記載の方法。
［Ｃ２８］
前記受信することが、狭帯域システム情報の位置を特定するためにブラインド復号を実行することを備える、Ｃ２４に記載の方法。
［Ｃ２９］
前記受信することが、データ領域においてまたはページングチャネルにおいて狭帯域情報を受信することを備える、Ｃ２４に記載の方法。
［Ｃ３０］
前記狭帯域情報がデータおよび／またはページング情報を備える、Ｃ２４に記載の方法。
［Ｃ３１］
より広い帯域幅を含むシステムにおいて動作する狭帯域デバイスによるワイヤレス通信のための装置であって、
メモリと、
前記メモリに結合された少なくとも１つのプロセッサであって、
ユーザ機器（ＵＥ）の第１のセットに広帯域情報を送信することと、
ＵＥの第２のセットに狭帯域情報を送信することであって、ＵＥの前記第２のセットが、ＵＥの前記第１のセットよりも狭い帯域幅において動作する、送信することと
を行うように構成された少なくとも１つのプロセッサと
を備える、装置。
［Ｃ３２］
前記広帯域情報が、第１のシステム情報ブロック（ＳＩＢ）を示す制御情報を備え、前記狭帯域情報が、第２のＳＩＢを示す制御情報を備える、Ｃ３１に記載の装置。
［Ｃ３３］
前記第１のＳＩＢと前記第２のＳＩＢが同じである、Ｃ３２に記載の装置。
［Ｃ３４］
前記第２のＳＩＢが、ネイバーセル、周波数間ハンドオーバ、および／または無線間アクセス技術（ｉＲＡＴ）ハンドオーバに関して、前記第１のＳＩＢよりも少ない情報を備える、Ｃ３２に記載の装置。
［Ｃ３５］
前記少なくとも１つのプロセッサが、前記第２のＳＩＢを畳み込み符号化するようにさらに構成された、Ｃ３２に記載の装置。
［Ｃ３６］
前記少なくとも１つのプロセッサが、狭帯域幅においてリソースの固定セットをスケジュールするようにさらに構成された、Ｃ３１に記載の装置。
［Ｃ３７］
前記少なくとも１つのプロセッサが、狭帯域制御チャネルを用いて狭帯域情報をスケジュールするようにさらに構成された、Ｃ３１に記載の装置。
［Ｃ３８］
前記少なくとも１つのプロセッサが、固定の時間、周波数ならびに／または変調およびコーディング方式（ＭＣＳ）を有する固定構成を用いて、ＵＥの前記第２のセットをページングするようにさらに構成された、Ｃ３１に記載の装置。
［Ｃ３９］
前記少なくとも１つのプロセッサが、狭帯域制御チャネルを用いてページング機会を構成するようにさらに構成された、Ｃ３１に記載の装置。
［Ｃ４０］
前記少なくとも１つのプロセッサが、第１のページング構成に従ってＵＥの前記第１のセットをページングすることと、第２のページング構成に従ってＵＥの前記第２のセットをページングすることとを行うようにさらに構成された、Ｃ３１に記載の装置。
［Ｃ４１］
前記少なくとも１つのプロセッサが、リソースの同じセットにおいてＵＥの前記第２のセットのすべてをページングするようにさらに構成された、Ｃ３１に記載の装置。
［Ｃ４２］
前記少なくとも１つのプロセッサが、狭帯域幅内の領域中に配置されたリソースブロックの既知のセットにおいてＵＥの前記第２のセットをページングするようにさらに構成された、Ｃ３１に記載の装置。
［Ｃ４３］
リソースブロックの前記既知のセットが、前記狭帯域幅の中心領域に配置された６つのリソースブロックを備える、Ｃ４２に記載の装置。
［Ｃ４４］
前記少なくとも１つのプロセッサが、ＵＥの前記第２のセットの第１のサブセットを第１のページング機会に割り当てることと、ＵＥの前記第２のセットの第２のサブセットを第２のページング機会に割り当てることとを行うようにさらに構成された、Ｃ３１に記載の装置。
［Ｃ４５］
前記狭帯域情報が、第１の狭帯域領域から第２の狭帯域領域に遷移するためのコマンドを含む、Ｃ３１に記載の装置。
［Ｃ４６］
前記狭帯域情報が、固定ロケーション中に配置されたデータを備える、Ｃ３１に記載の装置。
［Ｃ４７］
前記狭帯域情報が制御情報とデータとを備え、前記制御情報が固定の時間、周波数ならびに／または変調およびコーディング方式（ＭＣＳ）中に配置され、したがって前記狭帯域情報が、付随する制御信号なしに復号され得る、Ｃ３１に記載の装置。
［Ｃ４８］
前記広帯域情報が制御情報を含み、前記狭帯域情報が制御情報を含む、Ｃ３１に記載の装置。
［Ｃ４９］
前記狭帯域制御情報が、制限されたアグリゲーションレベル、制限されたＭＣＳシグナリング、制限されたブラインド復号、制限されたリソース割振りフィールドおよび／または制限された巡回冗長検査長を含む、前記広帯域制御情報よりも少ない情報を備える、Ｃ４８に記載の装置。
［Ｃ５０］
前記少なくとも１つのプロセッサが、広帯域幅においてまたは動的に変動する狭帯域幅において情報を受信するようにさらに構成され、前記少なくとも１つのプロセッサが、固定狭帯域幅において広帯域制御情報を備える広帯域情報を送信するようにさらに構成された、Ｃ３１に記載の装置。
［Ｃ５１］
前記広帯域情報が、リソースブロックの中央に位置するセット中に配置されたシステム情報と、動的に変動する狭帯域幅におけるデータとを備える、Ｃ３１に記載の装置。
［Ｃ５２］
前記少なくとも１つのプロセッサは、前記送信された広帯域情報および前記狭帯域情報がデータを備えるとき、前記広帯域情報のみに応答して肯定応答／否定応答（ＡＣＫ／ＮＡＣＫ）を受信するようにさらに構成された、Ｃ３１に記載の装置。
［Ｃ５３］
前記少なくとも１つのプロセッサが、符号分割多元接続（ＣＤＭＡ）処理または直交周波数分割多重接続（ＯＦＤＭＡ）処理に従ってアップリンク制御情報を送信するようにさらに構成された、Ｃ３１に記載の装置。
［Ｃ５４］
より広い帯域幅を含むシステムにおいて動作する狭帯域デバイスによるワイヤレス通信の装置であって、
メモリと、
前記メモリに結合された少なくとも１つのプロセッサであって、
前記より広い帯域幅の一部分のみを監視することと、
帯域幅の前記監視された部分において狭帯域情報を受信することと
を行うように構成された少なくとも１つのプロセッサと
を備える、装置。
［Ｃ５５］
前記狭帯域情報が、狭帯域システム情報のロケーションを示す制御情報を含む、Ｃ５４に記載の装置。
［Ｃ５６］
前記制御情報が変調およびコーディング方式（ＭＣＳ）を示す、Ｃ５５に記載の装置。
［Ｃ５７］
前記少なくとも１つのプロセッサが、前記制御情報を畳み込み符号化するようにさらに構成された、Ｃ５５に記載の装置。
［Ｃ５８］
前記少なくとも１つのプロセッサが、狭帯域システム情報の位置を特定するためにブラインド復号を実行することによって受信するように構成された、Ｃ５４に記載の装置。
［Ｃ５９］
前記少なくとも１つのプロセッサが、データ領域においてまたはページングチャネルにおいて狭帯域情報を受信することによって受信するように構成された、Ｃ５４に記載の装置。
［Ｃ６０］
前記狭帯域情報がデータおよび／またはページング情報を備える、Ｃ５４に記載の装置。
［Ｃ６１］
ワイヤレスネットワークにおけるワイヤレス通信のためのコンピュータプログラム製品であって、
非一時的プログラムコードを記録した非一時的コンピュータ可読媒体を備え、前記プログラムコードが、
ユーザ機器（ＵＥ）の第１のセットに広帯域情報を送信するためのプログラムコードと、
ＵＥの第２のセットに狭帯域情報を送信するためのプログラムコードであって、ＵＥの前記第２のセットが、ＵＥの前記第１のセットよりも狭い帯域幅において動作する、送信するためのプログラムコードと
を備える、コンピュータプログラム製品。
［Ｃ６２］
より広い帯域幅を含むシステムにおいて動作する狭帯域デバイスによるワイヤレス通信のためのコンピュータプログラム製品であって、
非一時的プログラムコードを記録した非一時的コンピュータ可読媒体を備え、前記プログラムコードが、
前記より広い帯域幅の一部分のみを監視するためのプログラムコードと、
帯域幅の前記監視された部分において狭帯域情報を受信するためのプログラムコードと
を備える、コンピュータプログラム製品。
［Ｃ６３］
ユーザ機器（ＵＥ）の第１のセットに広帯域情報を送信するための手段と、
ＵＥの第２のセットに狭帯域情報を送信するための手段であって、ＵＥの前記第２のセットが、ＵＥの前記第１のセットよりも狭い帯域幅において動作する、送信するための手段と
を備える、ワイヤレス通信のための装置。
［Ｃ６４］
より広い帯域幅を含むシステムにおいて動作する狭帯域デバイスによるワイヤレス通信のための装置であって、
前記より広い帯域幅の一部分のみを監視するための手段と、
帯域幅の前記監視された部分において狭帯域情報を受信するための手段と
を備える、装置。
【外国語明細書】
2018038042000001.pdf